(57)【要約】【課題】計数対象領域の撮影画像に基づき移動体の色を判別し、色と移動体の数とを関連づけて計数する。【解決手段】計数対象領域を上方から撮影した撮影画像Ｇから移動体Ｔを検出して切り出し、移動体Ｔの切り出し画像Ｐを取得する。移動体Ｔの位置に応じて設定された複数の色の判別基準形状Ｓから、撮影画像Ｇ内での移動体Ｔの検出位置に応じた判別基準形状Ｓを選択し、この判別基準形状Ｓを移動体Ｔの切り出し画像Ｐと比較して、切り出し画像Ｐから判別基準形状Ｓに対応する形状の色の判別対象画像Ｋを切り出す。切り出した判別対象画像Ｋに基づき、移動体Ｔの上着等の色を判別し、判別した色毎に移動体Ｔの数を撮影画像Ｇ毎に順次カウントして計数する。【選択図】          図６
2010079806.tif 000002
【特許請求の範囲】
【請求項１】
計数対象領域の撮影画像に基づき移動体を計数する画像処理装置であって、
前記撮影画像から移動体を検出する手段と、該検出した移動体を前記撮影画像から切り出す手段と、該移動体の切り出し画像に基づき前記検出した移動体の色を判別する手段と、該判別した色毎に移動体の数をカウントする手段と、を備えたことを特徴とする画像処理装置。
【請求項２】
請求項１に記載された画像処理装置において、
前記色を判別する手段は、予め設定された色の判別基準形状と前記移動体の切り出し画像とを比較する手段と、該比較結果に基づき前記移動体の切り出し画像から色の判別対象画像を切り出す手段とを有し、該色の判別対象画像に基づき前記検出した移動体の色を判別することを特徴とする画像処理装置。
【請求項３】
請求項２に記載された画像処理装置において、
前記撮影画像内における移動体の位置に応じた複数の前記色の判別基準形状を設定する手段を備え、
前記色を判別する手段は、前記複数の色の判別基準形状から前記撮影画像内での前記移動体の検出位置に応じた色の判別基準形状を選択する手段を有し、該選択した色の判別基準形状を前記比較する手段により前記移動体の切り出し画像と比較することを特徴とする画像処理装置。
【請求項４】
請求項２又は３に記載された画像処理装置において、
前記色を判別する手段は、前記色の判別対象画像の平均色を算出する手段と、該平均色と予め設定された判別すべき複数色とを比較する手段と、該比較結果に基づき前記複数色から前記平均色に最も近似した色を判定する手段とを有し、該判定した色を前記検出した移動体の色と判別することを特徴とする画像処理装置。
【請求項５】
計数対象領域を移動する移動体の計数装置であって、
前記計数対象領域を撮影するカメラと、該カメラから取得した前記計数対象領域の撮影画像に基づき移動体を計数する請求項１ないし４のいずれかに記載された画像処理装置と、を備えたことを特徴とする移動体の計数装置。
【請求項６】
コンピュータを請求項１ないし４のいずれかに記載された画像処理装置の各手段として機能させるためのプログラム。
【発明の詳細な説明】
【技術分野】
【０００１】
本発明は、移動体の計数対象領域の撮影画像に基づき、移動体の数等を計数する画像処理装置と、この画像処理装置を備えた移動体の計数装置及びプログラムに関する。
【背景技術】
【０００２】
移動体の計数装置として、従来、レーザや赤外線、又はパッシブセンサにより移動体を検出する等して、その数を計数する種々の装置が使用されている。また、このような計数装置として、対象領域を撮影した画像を処理して領域内の人を移動方向別にカウントする人数カウント装置も知られている（特許文献１参照）。
【０００３】
ところで、このような従来の計数装置は、計数の精度を１００％にするのは極めて困難であり、その精度に起因して、比較的高い精度が要求されるセキュリティ分野に比べて、それよりも低い精度でも充分な交通量調査や、顧客又は来店者数の集計等のマーケティング分野で主に使用されている。
【０００４】
しかしながら、例えばアパレル業界では、来店者数に加えて、その年齢層や体格、又は好みの服といった商品の販売促進等に繋がるマーケティング情報を欲しているものの、従来の装置は、マーケティング用途として必要な情報に関しては何ら考慮されておらず、人数をカウントする用途でのみ利用されている。このように、従来の装置は、移動体を計数するだけで、トレンド予測やマーケティング戦略等、マーケティングツールとしての適用はできず、その用途や応用の範囲が制限される、という問題がある。
【０００５】
【特許文献１】特開２００５−３２６９６６号公報
【発明の開示】
【発明が解決しようとする課題】
【０００６】
本発明は、前記従来の問題に鑑みなされたものであって、その目的は、計数対象領域の撮影画像に基づき移動体の色を判別して、色と移動体の数とを関連づけて計数できるようにし、移動体を計数するための装置の用途や応用の範囲を拡大することである。
【課題を解決するための手段】
【０００７】
本発明は、計数対象領域の撮影画像に基づき移動体を計数する画像処理装置であって、前記撮影画像から移動体を検出する手段と、該検出した移動体を前記撮影画像から切り出す手段と、該移動体の切り出し画像に基づき前記検出した移動体の色を判別する手段と、該判別した色毎に移動体の数をカウントする手段と、を備えたことを特徴とする。
また、本発明は、計数対象領域を移動する移動体の計数装置であって、前記計数対象領域を撮影するカメラと、該カメラから取得した前記計数対象領域の撮影画像に基づき移動体を計数する本画像処理装置と、を備えたことを特徴とする。
更に、本発明は、コンピュータを本画像処理装置の各手段として機能させるためのプログラムである。
【発明の効果】
【０００８】
本発明によれば、計数対象領域の撮影画像に基づき移動体の色を判別して、色と移動体の数とを関連づけて計数でき、移動体を計数するための装置の用途や応用の範囲を拡大することができる。
【発明を実施するための最良の形態】
【０００９】
以下、本発明の一実施形態について、図面を参照して説明する。
本実施形態の移動体の計数装置（以下、計数装置という）は、計数対象領域の撮影画像に基づき移動体を計数する画像処理装置等からなり、例えば店舗等の建物や各種施設に設置され、その領域を移動して通過する人の計数等に使用される。その際、本実施形態では、移動体を、その色と関連づけて計数するようになっており、以下、このようにして、建物のドア周囲や通路を所定方向に移動する移動体を計数する例を説明する。
【００１０】
図１は、本実施形態の計数装置の概略構成を示す模式図であり、建物９０内の計数対象領域Ｒへの設置状態も側方から見て模式的に示している。
この計数装置１は、図示のように、計数対象領域Ｒを順次撮影するカメラ２と、カメラ２が接続された画像処理装置（計数処理装置）１０とを備え、画像処理装置１０により、カメラ２から取得した計数対象領域Ｒの撮影画像に基づき、同領域Ｒを移動（図の矢印Ｆ）する移動体Ｔ（ここでは人）を計数する。
【００１１】
カメラ２は、建物９０内の所定範囲に設定された計数対象領域Ｒの撮影手段であり、建物９０の通路の上方に下方に向けて設置され、計数対象領域Ｒの全体を、その上を移動する移動体Ｔとともに上方から撮影する。ここでは、計数対象領域Ｒは、建物９０の通路を横断して略矩形状に設定されており、カメラ２は、計数対象領域Ｒの中央線の上方に、かつ光軸を略垂直方向下側に向けた状態で、建物９０の天井部に取り付けられている。また、カメラ２は、カラー画像を撮影する市販のデジタルカメラやデジタルビデオカメラ等からなり、画像処理装置１０により制御されて、計数対象領域Ｒの画像を連続して、又は所定の間隔やタイミングで撮影する。これにより、カメラ２は、計数対象領域Ｒや移動体Ｔのカラー画像を撮影し、撮像素子上に結像した画像を電気信号に変換して、撮影画像の画像データを画像処理装置１０へ出力する。
【００１２】
画像処理装置１０は、中央演算処理装置（ＣＰＵ）１１と、各種の制御や計数処理のための手順をＣＰＵ１１に実行させるプログラム等を格納するＲＯＭ（Read Only Memory）１２と、ＣＰＵの処理用データやプログラム等を一時的に格納するＲＡＭ（Random Access Memory）１３とを備えた、例えばコンピュータから構成されている。また、画像処理装置１０は、カメラ２等の外部装置が接続されるインターフェース部を有し、接続された各装置との間で各種データや制御信号を送受信する。これにより、画像処理装置１０は、装置各部を制御して作動させ、カメラ２により順次撮影して取得した各撮影画像の画像処理や解析を行い、以下説明する移動体Ｔの計数のための各処理を実行する。
【００１３】
図２は、この画像処理装置１０の概略構成を示す機能ブロック図であり、接続された他の構成もブロックで模式的に示している。
画像処理装置１０は、図示のように、カメラ２が接続されるカメラインターフェース部２０、カメラインターフェース部２０が接続された画像同期部２１、設定部２２、画像保存部２３、及び装置全体や計数処理を制御する制御部４０を備え、これら各部（手段）がバス等を介して接続されている。また、画像処理装置１０は、電力の入力や各信号の入出力用の各インターフェース部（図示せず）を備え、それらを介して、電源３０、キーボードやマウス等の入力装置３１、撮影画像等を表示する表示装置３２、及び他の外部装置３３が接続されている。
【００１４】
カメラインターフェース部２０は、Ａ／Ｄコンバート部２０Ａとフォーマット変換部２０Ｂとを有し、カメラ２から受信した画像データをＡ／Ｄコンバート部２０ＡによりＡ／Ｄ変換した後、フォーマット変換部２０Ｂにより、ＹＵＶ信号からＲＧＢ信号に変換して画像同期部２１へ出力する。その際、画像処理装置１０は、設定部２２により、カメラ２に対してクロック入力して、カメラ設定内容を作り出すとともに、画像同期部２１により、ＣＰＵ１１の周期に合わせて撮影画像を画像保存部２３に記憶させて保存する。これにより、画像処理装置１０は、画像保存部２３に、後述するフレーム差分用等の前後複数の撮影画像（フレーム画像）を保存し、制御部４０により各画像処理等を実行させる。
【００１５】
制御部４０は、カメラ２や装置各部の制御に加えて、この計数対象領域Ｒを順次撮影した撮影画像に基づき、通過した移動体Ｔの数と、その判別した色毎の数とを計数処理して、計数結果を、リレー又はＬＡＮ（Local Area Network）等のネットワークを介して外部装置３３へ出力する。以下、この制御部４０が有する数カウント処理部４１と色判別処理部４２について順に説明する。
【００１６】
図３は、数カウント処理部４１の概略構成を示す機能ブロック図である。また、図４は、この数カウント処理部４１の処理について説明するための模式図であり、カメラ２による計数対象領域Ｒの撮影画像Ｇの例を模式的に示している。
数カウント処理部４１は、図３に示すように、２値化処理部４１Ａ、フレーム差分処理部４１Ｂ、ラベリング処理部４１Ｃ、トラッキング処理部４１Ｄ、及びカウント判定処理部４１Ｅを有し、それらにより撮影画像Ｇに所定の画像処理を順次施して移動体Ｔの数を計数する。
【００１７】
この数カウント処理部４１では、まず、２値化処理部４１Ａにより、濃度や彩度等の所定の閾値を基準にして各撮影画像Ｇを２値化する。また、フレーム差分処理部４１Ｂにより、この２値化した撮影画像Ｇ毎に、相前後する撮影画像Ｇのフレーム差分を算出し、算出した画素毎の各差分値から所定の閾値以上の画素を抽出して撮影画像Ｇの画像変化（動き）を判別等することで、撮影画像Ｇから各移動体Ｔ（図４参照）を検出する。続いて、ラベリング処理部４１Ｃにより検出結果をラベリングして、検出した移動体Ｔ毎にラベルを付し、そのラベルに基づいて、トラッキング処理部４１Ｄにより、各移動体Ｔをトラッキングする。その際、ここでは、撮影画像Ｇにおける検出した各移動体Ｔの中心座標（図４のＺ）を算出するとともに、それぞれの移動（図４の矢印Ｆ）を追跡（図４では移動後の移動体Ｔ’を点線で示す）し、カウント判定処理部４１Ｅにより、移動体Ｔの計数対象領域Ｒの通過及び通過方向を判定する。併せて、カウント判定処理部４１Ｅにより、通過した移動体Ｔの数を順次カウントし、計数対象領域Ｒを移動する移動体Ｔの数を通過方向毎に計数する。
【００１８】
一方、図５は、色判別処理部４２の概略構成を示す機能ブロック図である。また、図６は、この色判別処理部４２の処理について説明するための模式図であり、図４に対応した計数対象領域Ｒの撮影画像Ｇの例を中央に示す。
色判別処理部４２は、図５に示すように、移動体切り出し処理部４２Ａ、ブロックマッチング処理部４２Ｂ、上着部分切り出し処理部４２Ｃ、平均ピクセル色算出処理部４２Ｄ、近似色判定処理部４２Ｅ、及び色別カウント処理部４２Ｆを有し、それらにより順次画像処理して移動体Ｔの色の判別と計数とを実行する。
【００１９】
この色判別処理部４２では、まず、移動体切り出し処理部４２Ａにより、上記のように検出した移動体Ｔを、２値化前の撮影画像Ｇからそれぞれ切り出し、移動体Ｔの切り出し画像（図６のＰ）を取得する。また、色判別処理部４２は、この移動体Ｔの切り出し画像Ｐに基づき、検出した各移動体Ｔの色を判別し、判別した色毎に移動体Ｔの数をカウントする。
【００２０】
具体的には、この画像処理装置１０では、移動体Ｔの色を判別したい部分、例えば移動体Ｔの上着や頭部等（ここでは上半身の上着）の判別の基準となる形状を、予め色の判別基準形状（図６では右側に示す標準的な上着のサンプル形状Ｓ）として設定する。この色の判別基準形状Ｓを移動体Ｔの切り出し画像Ｐと比較し、ブロックマッチング処理部４２Ｂにより、判別基準形状Ｓを基に、移動体Ｔの切り出し画像Ｐに対してブロック（パターン）マッチング処理を施して、それらの画素毎の２乗誤差の合計が零又は最小になる範囲を判定する。これにより、移動体Ｔの切り出し画像Ｐから、判別基準形状Ｓと一致する部分を、又は誤差が小さく相関性がある程度以上高い部分を実質的に一致するとして検出し、それぞれ上着の位置を特定する。このように、両者の比較結果に基づき、移動体Ｔの切り出し画像Ｐから、色の判別基準形状Ｓに対応した形状の色の判別対象となる部分（範囲）を特定し、その部分を、上着部分切り出し処理部４２Ｃにより、色の判別対象画像（図６の左側に示す画像Ｋ）として切り出す。続いて、色判別処理部４２は、切り出した色の判別対象画像Ｋに基づき、検出した移動体Ｔの色を判別して色毎の数を計数する。
【００２１】
その際、この色判別処理部４２は、上着にある模様やマーク、又は影等を考慮して、まず、平均ピクセル色算出処理部４２Ｄにより、色の判別対象画像Ｋのピクセル毎の色情報から、その画像Ｋにおける色の平均値である平均色（平均ピクセル色）を算出する。次に、近似色判定処理部４２Ｅにより、算出した平均色と、予め設定された判別して分類すべき複数の色（例えば所定の１２色）とを比較し、この比較結果に基づき、その中から平均色に最も近似した色を検索して近似色として判定する。色判別処理部４２は、このように判定した色を検出した移動体Ｔの色と判別して分類し、色別カウント処理部４２Ｆにより、設定された色毎に判別した色の数を順次カウントして計数する。
【００２２】
ここで、移動体Ｔの上着は、例えば移動体Ｔがカメラ２の真下（図１参照）に位置するときには肩部を中心に撮影され、移動体Ｔがカメラ２から離れるほど、前部又は背部の撮影範囲が大きくなる等、撮影画像Ｇ内での移動体Ｔの位置により撮影像が変化する。そのため、この計数装置１では、入力装置３１を介してユーザにより、撮影画像Ｇ内における移動体Ｔの位置に応じた複数の色の判別基準形状Ｓが、予め画像処理装置１０に設定され、それらから適切な判別基準形状Ｓを適宜選択して使用することで、移動体Ｔの撮影位置の変化に対応している。
【００２３】
本実施形態では、この判別基準形状Ｓが、移動体Ｔの移動方向Ｆに沿って複数設定（図６では互いに異なる３つの形状Ｓ（１）、Ｓ（２）、Ｓ（３））され、色判別処理部４２により、上記した切り出し画像Ｐの中心座標Ｚに基づき、色の判別基準形状Ｓが選択される。具体的には、カメラ２から離れた位置（図６では上方位置）の移動体Ｔでは、その中心座標Ｚを含む範囲に設定された肩部から前部までの広範囲を含む判別基準形状Ｓ（１）が選択され、切り出し画像Ｐと比較される。これにより、判別基準形状Ｓ（１）に近似した形状の色の判別対象画像Ｋ（１）を切り出し、移動体Ｔの頭部やズボン等の不要な部分を除いた、色の判別を行いたい上着部分の必要な画像を取得する。これに対し、カメラ２に近い位置（図６では下方位置）の移動体Ｔ’では、その中心座標Ｚ’を含む範囲に設定された肩部付近のみの判別基準形状Ｓ（３）が選択され、切り出し画像Ｐ’と比較されて、判別基準形状Ｓ（３）に近似した形状の判別対象画像Ｋ（３）が切り出される。
【００２４】
このようにして、画像処理装置１０は、色判別処理部４２により、複数の色の判別基準形状Ｓから、撮影画像Ｇ内での移動体Ｔの検出位置に応じた判別基準形状Ｓを選択する。また、選択した判別基準形状Ｓを、ブロックマッチング処理部４２Ｂにより、上記のように移動体Ｔの切り出し画像Ｐと比較し、対応する色の判別対象画像Ｋを切り出して、以降のカウント処理までの各処理を実行する。
【００２５】
次に、以上説明した計数装置１及び画像処理装置１０により、移動体Ｔの色を判別して計数する処理や手順について説明する。なお、以下の各処理や手順は、所定のプログラムや予め設定された条件等に基づき、制御部４０により、画像処理装置１０の各部（手段）を制御して実行される。また、それらと同時に、上記した数カウント処理部４１（図３、図４参照）により、移動体Ｔの通過を判定し、通過した移動体Ｔの数をカウントして計数する処理や手順も実行される。
【００２６】
図７は、本実施形態の移動体Ｔの計数処理の手順を示すフローチャートである。
計数処理時には、図示のように、カメラ２から計数対象領域Ｒの撮影画像Ｇを取得し（Ｓ１０１）、数カウント処理部４１により、撮影画像Ｇから移動体Ｔを検出する（Ｓ１０２）。続いて、色判別処理部４２の移動体切り出し処理部４２Ａにより、検出した移動体Ｔを撮影画像Ｇから切り出し（Ｓ１０３）、この移動体Ｔの切り出し画像Ｐ（図６参照）に基づき、検出した移動体Ｔの色を判別して、判別した色毎に移動体Ｔの数をカウントする。
【００２７】
その際、切り出し画像Ｐの中心座標Ｚを上記のように算出し（Ｓ１０４）、この中心座標Ｚに基づき、色判別処理部４２は、まず、予め設定された複数の色の判別基準形状Ｓから、撮影画像Ｇ内での移動体Ｔの検出位置に応じた判別基準形状Ｓを選択する（Ｓ１０５）。次に、この判別基準形状Ｓを基にブロックマッチング処理して（Ｓ１０６）、移動体Ｔの切り出し画像Ｐに判別基準形状Ｓと近似性の高い範囲があるか否かを判定する。その結果、近似性の高い範囲がないときには（Ｓ１０７、ＮＯ）、計数処理が終了か否かを判断するのに対し（Ｓ１１２）、近似性の高い範囲があるときには（Ｓ１０７、ＹＥＳ）、次のステップへ進む。
【００２８】
このように、色の判別基準形状Ｓと移動体Ｔの切り出し画像Ｐとを比較し、比較結果に基づき上着部分を特定し、上着部分切り出し処理部４２Ｃにより、移動体Ｔの切り出し画像Ｐから、判別基準形状Ｓに対応した色の判別対象画像Ｋを切り出す（Ｓ１０８）。続いて、平均ピクセル色算出処理部４２Ｄにより、色の判別対象画像Ｋの平均色を算出し（Ｓ１０９）、近似色判定処理部４２Ｅにより、算出した平均色と予め設定された複数色とを比較して、複数色から平均色に最も近似した色を判定する（Ｓ１１０）。次に、この判定した色を検出した移動体Ｔの色と判別して、色別カウント処理部４２Ｆにより、色毎に移動体Ｔの数をカウントする（Ｓ１１１）。その後、計数処理が終了（Ｓ１１２、ＹＥＳ）するまで、以上の手順を繰り返し（Ｓ１１２、ＮＯ）、色毎の移動体Ｔのカウントを撮影画像Ｇ毎に順次繰り返し、色毎の移動体Ｔの数を計数する。
【００２９】
以上説明したように、この計数装置１や画像処理装置１０では、単に移動体Ｔの数を計数するだけでなく、検出した移動体Ｔの色を判別して、色毎に移動体Ｔの数を計数することもできる。そのため、人数等の計数器としての使用に加えて、その用途や応用範囲が広くなり、例えばマーケティングツールとしても使用することができる。即ち、アパレル業界を例に採ると、通過する人の上着や服の色を特定して色毎の数を集計することで、色情報と来店者数等を関連づけて把握できるため、季節や曜日又は時間毎の集客数や、好まれる服の色の傾向等を知ることができる。併せて、その店舗の客層における色の好みや、色毎の服の販売数の傾向等が想定し易くなる。これに伴い、どのような色の服を、それぞれ何枚程度在庫として持てばよいか等、販売促進や経営に関する情報も容易に取得でき、今後のトレンド予測やマーケティング戦略へも応用することができる。
【００３０】
従って、本実施形態によれば、計数対象領域Ｒの撮影画像Ｇに基づき移動体Ｔの色を判別して、色と移動体Ｔの数とを関連づけて計数でき、移動体Ｔを計数するための装置の用途や応用の範囲を拡大することができる。また、ここでは、予め設定された色の判別基準形状Ｓと移動体Ｔの切り出し画像Ｐとを比較して色の判別対象画像Ｋを切り出し、この判別対象画像Ｋから移動体Ｔの色を判別するため、移動体Ｔの所望の部分の色を正確かつ精度よく判別することができる。更に、色の判別対象画像Ｋの平均色を算出して、予め設定された複数色に分類等して計数するため、移動体Ｔの服の模様等に対応可能で、かつ、必要な色情報のみを正確に取得することができる。
【００３１】
ここで、色の判別基準形状Ｓは、計数対象領域Ｒの設定範囲や撮影画像Ｇの大きさ、又は移動体Ｔの移動距離や撮影像の大きさ等に応じて、１つの判別基準形状Ｓを使用して移動体Ｔの切り出し画像Ｐと比較するようにしてもよい。ただし、上記したように、撮影画像Ｇ内における移動体Ｔの位置に応じて複数の判別基準形状Ｓを設定し、それらから適宜選択して使用するときには、より適切な範囲を切り出し画像Ｐから切り出して、不要な部分を確実に除いた色の判別対象画像Ｋを取得でき、色の判別精度を一層高めることができる。その際、この計数装置１では、移動体Ｔの移動方向Ｆに沿って複数の判別基準形状Ｓを設定したが、移動方向Ｆと直交する方向にも、それぞれ複数の判別基準形状Ｓを設定してもよい。
【００３２】
以上、建物９０にカメラ２を設置して移動する人を撮影し、上着の色を判別する例を説明したが、この計数装置１は、例えば屋外を移動する人や自動車を撮影して、それらの各部の色を判別及び計数する等、他の位置にカメラ２を設置して、種々の計数対象領域Ｒを通過する移動体Ｔの計数に適用することもできる。また、本発明は、コンピュータを、画像処理装置１０の以上説明した各手段として機能させるためのプログラムとしても実現できる。
【図面の簡単な説明】
【００３３】
【図１】本実施形態の移動体の計数装置の概略構成を示す模式図である。
【図２】本実施形態の画像処理装置の概略構成を示す機能ブロック図である。
【図３】数カウント処理部の概略構成を示す機能ブロック図である。
【図４】数カウント処理部の処理について説明するための模式図である。
【図５】色判別処理部の概略構成を示す機能ブロック図である。
【図６】色判別処理部の処理について説明するための模式図である。
【図７】本実施形態の移動体の計数処理の手順を示すフローチャートである。
【符号の説明】
【００３４】
１・・・計数装置、２・・・カメラ、１０・・・画像処理装置、１１・・・ＣＰＵ、１２・・・ＲＯＭ、１３・・・ＲＡＭ、２０・・・カメラインターフェース部、２０Ａ・・・Ａ／Ｄコンバート部、２０Ｂ・・・フォーマット変換部、２１・・・画像同期部、２２・・・設定部、２３・・・画像保存部、３０・・・電源、３１・・・入力装置、３２・・・表示装置、３３・・・外部装置、４０・・・制御部、４１・・・数カウント処理部、４１Ａ・・・２値化処理部、４１Ｂ・・・フレーム差分処理部、４１Ｃ・・・ラベリング処理部、４１Ｄ・・・トラッキング処理部、４１Ｅ・・・カウント判定処理部、４２・・・色判別処理部、４２Ａ・・・移動体切り出し処理部、４２Ｂ・・・ブロックマッチング処理部、４２Ｃ・・・上着部分切り出し処理部、４２Ｄ・・・平均ピクセル色算出処理部、４２Ｅ・・・近似色判定処理部、４２Ｆ・・・色別カウント処理部、９０・・・建物、Ｇ・・・撮影画像、Ｋ・・・判別対象画像、Ｐ・・・切り出し画像、Ｒ・・・計数対象領域、Ｓ・・・判別基準形状、Ｔ・・・移動体、Ｚ・・・中心座標。
【図１】
2010079806.tif 000003
【図２】
2010079806.tif 000004
【図３】
2010079806.tif 000005
【図４】
2010079806.tif 000006
【図５】
2010079806.tif 000007
【図６】
2010079806.tif 000008
【図７】
2010079806.tif 000009